(57)【要約】【課題】一人でも扉の外箱への取り付けが容易に行なえ、作業性のよい扉付き昇降キャビネットを提供する。【解決手段】本扉付き昇降キャビネットは、扉開閉機構が内箱の降下表出時、外箱前面から前方に突出する一対の扉開閉用アームを有し、この扉開閉用アームの先端近傍には扉の内表面に設けられた係合部に係合する係合部が設けられ、これら係合部の係合により扉の外箱への仮保持を可能にする。【選択図】  図１６
2006192047.tif 000002
【特許請求の範囲】
【請求項１】
外箱と、この外箱に昇降可能に収容され、下降時に前面が前記外箱から全体的に表出する内箱と、この内箱を昇降させかつ、モータおよびこのモータにより作動され前記内箱を吊す可撓性昇降部材を備える昇降機構と、前記外箱の一部を構成し、前記内箱の上昇収納時にこの内箱の前面の全体あるいはその一部を覆う扉と、前記内箱の昇降に応動しかつ、前記内箱の上昇収納状態において前記扉を閉じた状態にし、前記内箱の降下表出および上昇過程において開放状態を保たせる扉開閉機構を有し、この扉開閉機構は前記内箱の降下表出時、外箱前面から前方に突出する一対の扉開閉用アームを有し、この扉開閉用アームの先端近傍には前記扉の内表面に設けられた係合部に係合する係合部が設けられ、これら係合部の係合により前記扉の前記外箱への仮保持を可能にしたことを特徴とする扉付き昇降キャビネット。
【請求項２】
前記扉の仮保持時、前記扉開閉用アームの先端下部は前記扉の内表面に当接して、前記扉の回動を防止することを特徴とする請求項１に記載の扉付き昇降キャビネット。
【請求項３】
前記扉に設けられた係合部は係止ピンであり、前記扉開閉用アームに設けられた係合部は上方に開口し前記係止ピンを通す開口部と、この開口部に連なり前記係止ピンが係合するピン係合孔からなることを特徴とする請求項２に記載の扉付き昇降キャビネット。
【請求項４】
前記扉開閉用アームには前記開口部を塞ぐ扉ホルダーが設けられたことを特徴とする請求項３に記載の扉付き昇降キャビネット。
【請求項５】
前記扉ホルダーは前記扉開閉用アームに設けられた摺動溝に摺動可能に係合しかつ、その先端部に前記係止ピンを通す開口部と、この開口部に連なり前記係止ピンを収容しほぼ扇状をなすピン収容部を有することを特徴とする請求項４に記載の扉付き昇降キャビネット。
【請求項６】
前記扉ホルダーは弾性及び滑性を有する合成樹脂製であり、外箱に設けられた係合部及び扉開閉用アームに設けられた係合部間に介設されることを特徴とする請求項３または４に記載の扉付き昇降キャビネット。
【請求項７】
前記アームに設けられた係合部の開口部は、前記開放時は上方に開口し、前記扉閉塞時は前方に開口し、常時ピン係合孔の周壁により前記係止ピンを介して前記扉を支持することを特徴とする請求項３ないし６のいずれか１項に記載の扉付き昇降キャビネット。
【発明の詳細な説明】
【技術分野】
【０００１】
本発明は扉付き昇降キャビネットに係り、特に扉開閉機構を改良した扉付き昇降キャビネットに関する。
【背景技術】
【０００２】
従来、この種の扉付き昇降キャビネットとして、扉が設けられた外箱に内箱をモータにより昇降可能に設け、内箱の下降時にその内箱の前面が外箱から全体的に表出し得る如く構成し、内箱の上昇収納時にその内箱の前面を覆う扉は、外箱に連結したヒンジを介して上端を支点として下端側を前後方向に回動し得る構成としたものが知られている。
【０００３】
このような構成のものでは、内箱の昇降時に扉と前方突出状態の収納物とが干渉する危険を防止する手段が必要である。例えば食器乾燥機に適用した場合、扉の開度が不十分で、かつ内箱に収納した食器が前方に飛出している状態で内箱を上昇させると、食器が扉に衝突して破損する危険がある。
【０００４】
そのため、外箱は内箱の上昇収納時にその内箱の前面を覆う扉を有し、この扉は外箱に連結したヒンジを介して上端を支点として下端側を前後方向に回動し得る構成とし、さらに、扉と内箱とを複数のアームよりなるリンクによって連結し、扉が内箱の昇降に伴ってその上昇時には閉方向に、かつ下降時には開方向にそれぞれ回動できる構成とし、リンクは、内箱の上昇ストロークの途中位置で扉を最大開き角度位置で停止させる構成とした扉付き昇降キャビネットが提案されている（特許文献１）。
【０００５】
しかし、特許文献１のものは、外箱に連結したヒンジを介して扉が回動できるようにネジなどにより取り付けられるが、この扉の取り付け時、扉幅が６０ｃｍを超える大型の扉を、据付業者が一人で扉を支えながら、高所に据付けられた外箱に取り付けることは困難であり、二人掛かりで扉の取り付けを行っており、作業性が悪かった。
【特許文献１】特開２００２−９５５３４号公報
【発明の開示】
【発明が解決しようとする課題】
【０００６】
本発明は上述した事情を考慮してなされたもので、一人でも扉の外箱への取り付けが容易に行え、作業性のよい扉付き昇降キャビネットを提供することを目的とする。
【課題を解決するための手段】
【０００７】
上述した目的を達成するため、本発明に係る扉付き昇降キャビネットは、外箱と、この外箱に昇降可能に収容され、下降時に前面が前記外箱から全体的に表出する内箱と、この内箱を昇降させかつ、モータおよびこのモータにより作動され前記内箱を吊す可撓性昇降部材を備える昇降機構と、前記外箱の一部を構成し、前記内箱の上昇収納時にこの内箱の前面の全体あるいはその一部を覆う扉と、前記内箱の昇降に応動しかつ、前記内箱の上昇収納状態において前記扉を閉じた状態にし、前記内箱の降下表出および上昇過程において開放状態を保たせる扉開閉機構を有し、この扉開閉機構は前記内箱の降下表出時、外箱前面から前方に突出する一対の扉開閉用アームを有し、この扉開閉用アームの先端近傍には前記扉の内表面に設けられた係合部に係合する係合部が設けられ、これら係合部の係合により前記扉の前記外箱への仮保持を可能にしたことを特徴とする。
【０００８】
好適には、前記扉の仮保持時、前記扉開閉用アームの先端下部は前記扉の内表面に当接して、前記扉の回動を防止する。
【０００９】
また、好適には、前記扉に設けられた係合部は係止ピンであり、前記扉開閉用アームに設けられた係合部は上方に開口し前記係止ピンを通す開口部と、この開口部に連なり前記係止ピンが係合するピン係合孔からなる。
【００１０】
また、好適には、前記扉開閉用アームには前記開口部を塞ぐ扉ホルダーが設けられる。
【００１１】
また、好適には、前記扉ホルダーは前記扉開閉用アームに設けられた摺動溝に摺動可能に係合しかつ、その先端部に前記係止ピンを通す開口部と、この開口部に連なり前記係止ピンを収容しほぼ扇状をなすピン収容部を有する。
【００１２】
また、好適には、前記扉ホルダーは弾性及び滑性を有する合成樹脂製であり、外箱に設けられた係合部及び扉開閉用アームに設けられた係合部間に介設される。
【００１３】
また、好適には、前記アームに設けられた係合部の開口部は、前記開放時は上方に開口し、前記扉閉塞時は前方に開口し、常時ピン係合孔の周壁により前記係止ピンを介して前記扉を支持する。
【発明の効果】
【００１４】
本発明に係る扉付き昇降キャビネットによれば、一人でも扉の外箱への取り付けが容易に行え、作業性のよい扉付き昇降キャビネットを提供することができる。
【発明を実施するための最良の形態】
【００１５】
以下、本発明に係る扉付き昇降キャビネットの一実施形態について添付図面を参照して説明する。なお、本実施形態はシステムキッチンにおける天井設置式の昇降式食器収納キャビネットとして適用したものである。
【００１６】
図１は昇降式食器収納キャビネットの内箱が降下した状態の全体構成を示す正面図であり、図２はその側断面図であり、図３は内箱が収納状態にある昇降式食器棚の正面図であり、図４はその側断面図である。
【００１７】
図１乃至図４に示すように、本発明の一実施形態に係る昇降式食器収納キャビネット１は、外箱２と、この外箱２に昇降可能に収容され、下降時に前面が外箱２から全体的に表出する内箱３と、この内箱３を昇降させかつ、モータ４ａおよびこのモータ４ａにより作動され内箱３を吊す可撓性昇降部材例えばベルト４ｂを備える昇降機構４と、外箱２の一部を構成し、内箱３の上昇収納時にこの内箱３の前面の全体を覆う扉５と、この扉５の開閉を行なう扉開閉機構６を有している。
【００１８】
外箱２は、天板２ａ、前板２ｂ、両側板２ｃ、背板２ｄ等により構成され、下端全面および前面の前板２ｂ以外の部分が開口している。天板２ａの内面（下面）には部品支持用のフレーム７が設けられている。
【００１９】
上記扉５は、外箱２の前板２ｂの下方に設けられており、後に詳述するように、扉開閉機構６により扉５が垂直状態を保ったまま扉５の下端部５ａを上昇させるように移動される。なお、外箱２の前板２ｂの下端と扉５の上端には、左上がりの傾斜面２ｂ１、５ｂを設けて、扉５を閉じた状態で多少隙間があっても、前板２ｂと扉５が重複状態となり、内箱３の内部が見えにくくなり、外観上見栄えを向上させている。
【００２０】
内箱３は食器収納キャビネット本体を構成するもので、上板３ａ、下板３ｂ、両側板３ｃおよび背板３ｄにより前面が開口する形状とされ、内部に上下２段の食器類等の受具８を有している。この内箱３の両側板３ｃの外面間の寸法が、外箱２の両側板２ｃの内面間の寸法よりも僅かに小さく設定され、これら各側板２ｃ、３ｃ間にそれぞれ縦長な幅狭い側方空間９が形成されている。なお、内箱３の高さは外箱２より十分小さく、内箱３上方に機器スペースが形成されるようになっている。
【００２１】
内箱３は外箱２に上記昇降機構４により昇降可能に支持されている。この昇降機構４は、上記のようにモータ４ａおよびこのモータ４ａにより作動され内箱３を吊す可撓性昇降部材例えばベルト４ｂを備えており、モータ４ａは外箱２のフレーム７に取付けられ、モータ４ａにはギア等の動力伝達機構４ｃを介して巻取りドラム４ｄが連結され、さらに、ベルト４ｂがドラム４ｄに巻装され、ベルト４ｂを下方に案内するベルトローラ４ｅと、内箱３の上板３ａにブラケット４ｆを介して支持された内箱吊上げ用の吊上げローラ４ｇと、ベルト４ｂの端部をフレーム７で止着する止着具４ｈとを有している。
【００２２】
この昇降機構４のベルト４ｂは例えば２本構成であり、その各ベルト４ｂにより内箱３の左右２箇所が吊上げられる方式となっている。各ベルト４ｂは、一つの巻き取りドラム４ｄに同時に巻上げられ、それにより内箱３が常時一定姿勢で昇降することができる。なお、内箱３の両側板３ｃの外面部にそれぞれスライダ１０を設け、このスライダ１０が外箱２に設けられたガイドレール１１に案内されることにより、確実に内箱３の昇降時の姿勢を安定させることができるようになっている。
【００２３】
また、内箱３の下部前面には、上下動操作用の入力スイッチを作動させる操作レバー(図示せず)が設けられ、この操作レバーを下方に動かすと制御装置を介してモータ４ａを作動し、巻き取りドラム４ｄが回転して内箱３が下降し、操作レバーを上向きに動かすと内箱３が上昇するようになっている。
【００２４】
図４及び図５に示すように、上記扉開閉機構６は、外箱２と内箱３間に一対設けられ、作動アーム機構６１と開閉アーム機構６２からなり、作動アーム機構６１は、昇降する内箱３の側板３ｃに取り付けられた作動部材例えば作動ローラ６１ａと、この作動ローラ６１ａに離間可能に非拘束状態で当接し第１の変曲点ｐ１、第２の変曲点ｐ２を有する非直線状の作動側面部６１ｂ１を有しかつ、一端近傍で外箱２に軸支され、作動側面部６１ｂ１を介して作動ローラ６１ａにより回動される作動用アーム６１ｂを有し、さらに、作動用アーム６１ｂの一端には図中反時計回り方向に付勢するスプリング６１ｂ４が取り付けられ、他端部近傍には直線状のガイド溝６１ｂ５が設けられている。
【００２５】
従って、作動ローラ６１ａは内箱３の昇降に伴って、作動側面部６１ｂ１の傾斜部６１ｂ２を押圧し、作動アーム６１ｂを回動させ、変曲点ｐ２から端部近傍の点ｐ３間の垂直部６１ｂ３では作動アーム６１ｂを回動させることなく、その回動角度を保つ。スプリング６１ｂ４を設けることにより、作動用アーム６１ｂが反時計回り方向に付勢され、扉５が閉塞状態に保持されるので、地震などにより内箱３が振動しても、食器類は扉５で動きが抑制され、落下することがなく、安全である。
【００２６】
また、開閉アーム機構６２は、ともにほぼく字状をなす一対の第１の扉開閉用アーム６２ａと、直線状の一対の第２の扉開閉用アーム６２ｂとからなっている。
【００２７】
第１の扉開閉用アーム６２ａは、第１の端部は外箱２に軸支され、第２の端部が、扉５に設けられた係合部５ｃと第２の端部に設けられた係合部６２ａ１を係合することにより軸支され、さらに、第３の端部にはガイドピン６２ａ３が設けられ、このガイドピン６２ａ２を作動用アーム６１ｂのガイド溝６１ｂ５に係合させることにより、第１の扉開閉用アーム６２ａと作動用アーム６１ｂが連結されている。
【００２８】
図６及び図７に示すように、第１の扉開閉用アーム６２ａの係合部６２ａ１は、第２の端部近傍に上方に開口して設けられ後述する係止ピン５ｃ２を通す開口部６２ａ２と、この開口部６２ａ２に連なり係止ピン５ｃ２が係合するピン係合孔６２ａ３からなり、また、扉５の係合部５ｃは、扉５に立設された一対の支持部材５ｃ１間に橋設され図８及び図９に示す直径４ｍｍの係止ピン５ｃ２からなっている。さらに、第１の扉開閉用アーム６２ａには、扉ホルダー６２ａ４が取り付けられており、この扉ホルダー６２ａ４は、弾性及び滑性を有する合成樹脂製の２枚の図１０に示すホルダー部材６２ａ５ａ、図１１に示すホルダー部材６２ａ５ｂからなり、その先端部には図８に示す３ｍｍ幅にホルダー開口部６２ａ６とこのホルダー開口部６２ａ６に連なり係止ピン５ｃ２が係合するほぼ扇形状のピン遊嵌孔６２ａ６が設けられ、２枚のホルダー部材６２ａ５ａ、６２ａ５ｂからなる扉ホルダー６２ａ４で第１の扉開閉用アーム６２ａを挟み、この第１の扉開閉用アーム６２ａに穿設された摺動長溝６２ａ７を介して溶着することで、扉ホルダー６２ａ４が第１の扉開閉用アーム６２ａに沿って摺動可能に取り付けられている。
【００２９】
図８及び図９に示すように、従って、扉５の外箱への仮保持あるいは保持は、扉５の係合部５ｃに設けられた係止ピン５ｃ２を、開口部６２ａ２を介してピン係合孔６２ａ３に係合して行われる。これにより、係止ピン５ｃ２をピン係合孔６２ａ３に係合させることにより、扉５の仮保持が容易に行なえる。しかる後、扉ホルダー６２ａ４を第１の扉開閉用アーム６２ａに沿って摺動させ、扉ホルダー６２ａ４の弾性を利用して、係止ピン５ｃ２をホルダー開口部６２ａ６に強制的に通し、ピン遊嵌孔６２ａ６に収容すると共に、開口部６２ａ２をピン遊嵌孔６２ａ６の周壁によって塞ぎ、係止ピン５ｃ２がピン係合孔６２ａ３から外れるのを防止するようにして行われる。係止ピン５ｃ２がピン遊嵌孔６２ａ６に遊嵌するので扉ホルダー６２ａ４に扉５の荷重が掛からず、扉ホルダー６２ａ４の耐久性が向上する。また、図７に示すように、このとき、一対の支持部材５ｃ１と第１の扉開閉用アーム６２ａ間に滑性を有する扉ホルダー６２ａ４が介在するので、支持部材５ｃ１と第１の扉開閉用アーム６２ａ間の潤滑がよくなり、扉５の開閉が円滑になる。
【００３０】
また、図１２に示すように、第２の扉開閉用アーム６２ｂは、一端が外箱２に軸支され、図６に示す第１の扉開閉用アーム６２ａの係合部６２ａ１と同様に、他端近傍には扉５の内表面に設けられた係合部５ｃに係合する係合部６２ｂ１が設けられ、これらの係合部５ｃ、６２ｂ１の係合により扉５の外箱２への保持を可能にしている。
【００３１】
係合部６２ｂ１は、係止ピン５ｃ２を通す開口部６２ｂ２と、ピン係合孔６２ｂ３からなり、また、扉５の係合部５ｄは、扉５に立設された一対の支持部材５ｄ１間に橋設され係止ピン５ｄ２からなっている。さらに、第２の扉開閉用アーム６２ｂには、扉ホルダー６２ａ４と同様構造の扉ホルダー６２ｂ４が取り付けられており、この扉ホルダー６２ｂ４は第２の扉開閉用アーム６２ｂに沿って摺動可能に取り付けられている。
【００３２】
従って、図４及び図５に示すように、外箱２に軸支された第１の扉開閉用アーム６２ａ、第２の扉開閉用アーム６２ｂ、軸支位置間の長さ（距離）及び扉５の軸支位置間の長さ（距離）でフォーバーリンケージが形成される。これにより、作動アーム６１ｂの回動に伴ってガイド溝６１ｂ５、ガイドピン６２ａ２を介して第１の扉開閉用アーム６２ａが回動され、フォーバーリンケージにより扉５が垂直状態を保ったまま所定角度だけ回動するようになっている。ガイドピン６２ａ２が移動可能なガイド溝６１ｂ５を設けることにより、扉５を外箱２の開口に押し付けることができる。
【００３３】
次に昇降式食器収納キャビネット１の昇降動作について説明する。
【００３４】
図１３に示すように、使用者は、食器類の出し入れを行なうために、外箱２内に収容された状態の内箱３を降下させ、内箱３を外箱２から全体的に表出させる。この内箱３の降下は、操作レバー、制御装置を介してモータ４ａを駆動させて、巻き取りドラム４ｄを回転させ、ベルト４ｂを送り出し、主として内箱３の重量により行なわれる。
【００３５】
内箱３の降下に伴って、内箱３の側板３ｃに取り付けられ、作動アーム６１ｂの変曲点ｐ１に当接している作動ローラ６１ａも降下し、変曲点ｐ２に達する迄の傾斜部６１ａ２に当接している間、作動ローラ６１ａは作動アーム６１ｂをスプリング６１ｂ４に抗して図中時計周り方向に回動させる。
【００３６】
この作動アーム６１ｂの回動に伴い、開閉アーム機構６２はフォーバーリンケージの動きをなし、第１の扉開閉用アーム６２ａおよび第２の扉開閉用アーム６２ｂが外箱２に取り付けた支点を中心に回動して、扉５は垂直状態を保ったまま移動（回動）させ、下端部５ａを上昇させるように移動させる。
【００３７】
さらに、内箱３は降下するが、作動アーム６１ｂには変曲点ｐ２から端部近傍の点ｐ３間の垂直部６１ｂ３では、作動ローラ６１ａは作動アーム６１ｂに当接しているが、これをさらに時計まわり方向に押圧することがなく、上記傾斜部６１ｂ２間での回動以上の作動アーム６１ｂの回動はなく、従って、開閉アーム機構６２の回動もなく、扉５は作動ローラ６１ａが変曲点ｐ２にあるときの、開放状態を保つ。
【００３８】
このように、内箱３が下降範囲の全体の途中、例えば１／３位まで下降したとき、扉５が設定全開状態になるので、受具８上の食器類は内箱３を最下端まで下降させなくても出し入れ可能である。作動ローラ６１ａが点ｐ３に達すると、内箱３の降下は完了し、内箱３はその前面が外箱２から全体的に表出する。このように扉５がわずかな傾斜状態でかつ扉５の下端部５ａが上昇した状態で、使用者は受具８と食器類の出し入れを行なう。
【００３９】
食器類の出し入れ完了後、再び、操作レバー、制御装置を介してモータ４ａを駆動させて、巻き取りドラム４ｄを回転させ、ベルト４ｂを巻き取り、内箱３を上昇させる。
【００４０】
この上昇過程において、図１４に点線で示すように、作動アーム６１ｂのｐ１点で当接する作動ローラ６１ａは、内箱３の上昇に伴って、垂直部６１ｂ３に沿って上昇する。このとき、作動アーム６１ｂはそのままの状態を保つので、開閉アーム機構６２は作動せず、扉５も開放状態を保つ。従って、扉５と前方突出状態の食器類等の収納物とが干渉することがなく、危険防止を図れるとともに、作動ローラ６１ａと作動用アーム６１ｂが非拘束状態で当接しているので、内箱３の奥行きよりも長い収納物が収納された場合にも、収納物に押されて開閉アーム機構６２と扉５が動き、干渉が緩和され安全である。
【００４１】
さらに、内箱３が上昇して作動ローラ６１ａも上昇するが、作動ローラ６１ａが端部近傍の点ｐ３から変曲点ｐ２間にあるときは、作動アーム６１ｂを反時計回り方向に回動させることなく、開閉アーム機構６２、扉５の回動もなく、扉５は開放状態を保つ。
【００４２】
このように、内箱３が上昇範囲の全体の途中まで上昇したとき、食器類が内箱３から前方に突出していても、内方に押し込むことができる。
【００４３】
内箱３が上昇を継続して、作動ローラ６１ａが上昇し変曲点ｐ２を過ぎ、傾斜部６１ａ２に達すると、作動アーム６１ｂが反時計回り方向に回動し、開閉アーム機構６２が作動して扉５はその自重により反時計周り方向に回動しながら閉じていき、内箱３の上昇が完了して、内箱３の収納が完了すると、作動ローラ６１ａは変曲点ｐ１に達し、扉５は開口を完全に閉塞し、この状態を保つ。
【００４４】
なお、図２及び図４に示すように、第１の扉開閉用アーム６２ａの係合部６２ｂ１の図６に示す開口部６２ｂ２は、開放時は上方に開口し、扉閉塞時は前方に開口し、常時ピン係合孔の周壁により係止ピンを介して扉５を支持するので、扉ホルダーに荷重が掛からず、扉ホルダーの耐久性が向上する。
【００４５】
さらに、昇降式食器収納キャビネット１及び扉５の取り付けについて説明する。
【００４６】
図１５に示すように、一人の据付業者が、内箱３の降下表出し、扉５が取り付けられていない状態の昇降式食器収納キャビネット１を、持ち上げてキッチンの側壁面上部に取付部材を用いて取り付ける。
【００４７】
内箱３は降下表出しており、作動アーム機構６１の作用により、第１の扉開閉用アーム６２ａは外箱前面から前方に突出した状態になっている。
【００４８】
図８及び図１６に示すように、しかる後、据付業者は扉５を手に持ち、扉５の係合部５ｃに設けられた係止ピン５ｃ２を、第１の扉開閉用アーム６２ａの係合部６２ａ１の開口部６２ａ２を介してピン係合孔６２ａ３に係合して、扉５を第１の扉開閉用アーム６２ａに仮保持させる。このとき、図１７に示すように、第１の扉開閉用アーム６２ａの先端下部は扉５の内表面に当接して、扉５の回動が防止され、仮保持が確実に行えるようになっている。この扉５が仮保持された状態で、図６に示すように、扉ホルダー６２ａ４を第１の扉開閉用アーム６２ａに沿って摺動させ、係止ピン５ｃ２をホルダー開口部６２ａ６に強制的に通し、ピン遊嵌孔６２ａ６に収容すると共に、開口部６２ａ２をピン遊嵌孔６２ａ６の周壁によって塞ぎ、係止ピン５ｃ２がピン係合孔６２ａ３から外れるのを防止するようにして、扉５の第１の扉開閉用アーム６２ａへの取り付けが行われる。
【００４９】
これに続いて、扉５の第２の扉開閉用アーム６２ｂへの取り付けは、第１の扉開閉用アーム６２ａへの取り付けと同様に、扉５の係合部５ｄに設けられた係止ピン５ｄ２を、図１２に示す第２の扉開閉用アーム６２ｂの係合部６２ａ１の開口部６２ａ２を介してピン係合孔６２ａ３に係合して、扉５を第２の扉開閉用アーム６２ｂに仮保持させ、開口部６２ｂ２をピン遊嵌孔６２ｂ７の周壁によって塞ぎ、係止ピン５ｄ２がピン係合孔６２ｂ３から外れるのを防止するようにして、扉５の第２の扉開閉用アーム６２ｂへの取り付けが行われる。
【００５０】
上記のような扉５の外箱２への取り付け過程において、第１の扉開閉用アーム６２ａに設けられた係合部係合部６２ａ１と扉５に設けられた係合部５ｃを係合させて、扉５を外箱２に仮保持させ、しかる後に扉ホルダー６２ａ４により開口部６２ａ２をピン遊嵌孔６２ａ６の周壁によって塞ぐようにしたので、扉付き昇降キャビネット１にキッチン側壁面上部への取り付け及び外箱２への扉５の取り付けを一人の据付業者により、容易かつ確実に行なうことができ、据付の作業性が向上する。
【００５１】
なお、上記実施形態においては、第１の扉開閉用アーム及び第２の扉開閉用アームの係合部は、開口部とピン係合孔からなり、また、扉の係合部は、扉に立設された一対の支持部材間に橋設された係止ピンからなる例で説明したが、これとは逆に図１８及び図１９に示すように、第１の扉開閉用アーム及び第２の扉開閉用アームの係合部６２ｃ１は、扉開閉用アーム６２ｃに立設された係止ピン６２ｃ３を有し、扉５の係合部５ｅは、扉５に立設された板状の係合部材５ｅ１に下方に開口する開口部５ｅ２とこれに連なるピン係合孔５ｅ３から形成してもよい。
【００５２】
本実施形態の昇降式食器収納キャビネットによれば、一人でも扉の外箱への取り付けが容易に行なえ、作業性のよい扉付き昇降キャビネットが実現される。
【図面の簡単な説明】
【００５３】
【図１】本発明の一実施形態に係る昇降式食器収納キャビネットの内箱降下状態を示す正面図。
【図２】本発明の一実施形態に係る昇降式食器収納キャビネットの内箱降下状態を示す縦断面図。
【図３】本発明の一実施形態に係る昇降式食器収納キャビネットの内箱上昇状態を示す正面図。
【図４】本発明の一実施形態に係る昇降式食器収納キャビネットの内箱上昇状態を示す縦断面図。
【図５】本発明の一実施形態に係る昇降式食器収納キャビネットに用いられる扉開閉機構の平面図。
【図６】本発明の一実施形態に係る昇降式食器収納キャビネットに用いられる扉取り付け係合部の係合状態を示す側面図。
【図７】本発明の一実施形態に係る昇降式食器収納キャビネットに用いられる扉取り付け係合部の係合状態を示す平面図。
【図８】本発明の一実施形態に係る昇降式食器収納キャビネットに用いられる扉取り付け係合部の係合前状態を示す側面図。
【図９】本発明の一実施形態に係る昇降式食器収納キャビネットに用いられる扉取り付け係合部の係合前状態を示す平面図。
【図１０】本発明の一実施形態に係る昇降式食器収納キャビネットに用いられる扉ホルダーを示し、（ａ）は側面図、（ｂ）は平面図、（ｃ）は側面図、（ｄ）は前面図。
【図１１】本発明の一実施形態に係る昇降式食器収納キャビネットに用いられる扉ホルダーを示し、（ａ）は側面図、（ｂ）は平面図、（ｃ）は側面図、（ｄ）は前面図。
【図１２】本発明の一実施形態に係る昇降式食器収納キャビネットに用いられる扉取り付け係合部の係合状態を示す平面図。
【図１３】本発明の一実施形態に係る昇降式食器収納キャビネットの内箱の降下過程を示す縦断面図。
【図１４】本発明の一実施形態に係る昇降式食器収納キャビネットの内箱の上昇過程を示す正面図。
【図１５】本発明の一実施形態に係る昇降式食器収納キャビネットの扉取り付け状態前の縦断面図。
【図１６】本発明の一実施形態に係る昇降式食器収納キャビネットの扉取り付け状態前の縦断面図。
【図１７】本発明の一実施形態に係る昇降式食器収納キャビネットの扉取り付け状態前の係合部の側面図。
【図１８】本発明の一実施形態に係る昇降式食器収納キャビネットに用いられる扉取り付け係合部の他の実施形態の側面図。
【図１９】本発明の一実施形態に係る昇降式食器収納キャビネットに用いられる扉取り付け係合部の他の実施形態の平面図。
【符号の説明】
【００５４】
１  昇降式食器収納キャビネット
２  外箱
３  内箱
４  昇降機構
５  扉
５ｃ  係合部
５ｃ１  支持部材
５ｃ２  係止ピン
５ｄ  係合部
５ｄ１  支持部材
５ｄ２  係止ピン
６  扉開閉機構
６１  作動アーム機構
６１ａ  作動ローラ
６１ｂ  作動用アーム
６２  開閉アーム機構
６２ａ  第１の扉開閉用アーム
６２ａ１  係合部
６２ａ２  開口部
６２ａ３  ピン係合孔
６２ａ４  扉ホルダー
６２ａ６  ピン遊嵌孔
６２ａ７  摺動長溝
６２ｂ  第２の扉開閉用アーム
６２ｂ１  係合部
６２ｂ２  開口部
６２ｂ３  ピン係合孔
６２ｂ４  扉ホルダー
【図１】
2006192047.tif 000003
【図２】
2006192047.tif 000004
【図３】
2006192047.tif 000005
【図４】
2006192047.tif 000006
【図５】
2006192047.tif 000007
【図６】
2006192047.tif 000008
【図７】
2006192047.tif 000009
【図８】
2006192047.tif 000010
【図９】
2006192047.tif 000011
【図１０】
2006192047.tif 000012
【図１１】
2006192047.tif 000013
【図１２】
2006192047.tif 000014
【図１３】
2006192047.tif 000015
【図１４】
2006192047.tif 000016
【図１５】
2006192047.tif 000017
【図１６】
2006192047.tif 000018
【図１７】
2006192047.tif 000019
【図１８】
2006192047.tif 000020
【図１９】
2006192047.tif 000021